(57)【要約】【課題】  外装材として使用される照明器具を備えた建材において、照射光の綺麗な反射を妨げることなく、建材と照明とのコラボレーションを図ることができる照明器具を備えた建材を提供すること。【解決手段】  照明器具を備えた建材は、フレーム１と、リフレクタ材２と、照明器具３と、カバー材４と、リフレクタ材５と、このリフレクタ材５を介して、前記カバー材４を前記フレーム１に取付けるための固定部６０が形成されるマウント材６とを備える。前記固定部６０は、前記照明器具３の照射面３６からの照射光の進行方法Ｄに形成されておらず、照明器具３の照射光に影響されない位置にあるので、固定部６０によって照射光の綺麗な照射及び反射が妨げられることはない。【選択図】        図１
2018125100.tif 000002
【特許請求の範囲】
【請求項１】
フレームと、
前記フレームに取付けられる第１のリフレクタ材と、
前記第１のリフレクタ材に反射させる光を照射する照明器具と、
前記照明器具をカバーするカバー材と、
前記第１のリフレクタ材に連続させ、且つ、前記フレームに取付けられる第２のリフレクタ材と、
前記第２のリフレクタ材を介して、前記カバー材を前記フレームに固定する固定部が形成されたマウント材とを備えると共に、
前記固定部は、前記照明器具の照射光に影響されない位置にあることを特徴とする照明器具を備えた建材。
【請求項２】
前記第２のリフレクタ材に対し、第１のリフレクタ材は選択可能であることを特徴とする請求項１に記載の照明器具を備えた建材。
【請求項３】
前記カバー材は、前記照明器具の照射面からその照射光の進行方法に沿った被せ高さ（被せ幅）の被部を備えていることを特徴とする請求項１に記載の照明器具を備えた建材。
【請求項４】
前記照明器具の外周と、前記カバー材の内周との間に、離隔スペースを形成したことを特徴とする請求項１に記載の照明器具を備えた建材。
【請求項５】
前記カバー材の開口部には、その開口部を覆うキャップが取付けられていることを特徴とする請求項１に記載の照明器具を備えた建材。
【請求項６】
前記第２のリフレクタ材は、前記フレームに対して着脱自在に配置されていることを特徴とする請求項１に記載の照明器具を備えた建材。
【発明の詳細な説明】
【技術分野】
【０００１】
本願発明は、建物の建材として使用される照明器具を備えた建材に関する。
【背景技術】
【０００２】
出願人は、ＬＥＤプレートをアルミ押出し形材のケースに取り付けて構成されている照明器具を開発すると共に、その照明器具の建材への適用例についても、その研究、開発を進めている。
例えば、特許文献１では、ＬＥＤプレートを形材本体に配置し、そのＬＥＤプレートの上からコーティング材を充填して照明器具を構成し、その照明器具を内ケースとして、外ケースに組み込んでいる建材を提案している。
かかる建材は、建物の方立、無目、巾木、下枠等に取付けられ、室内においては壁面の巾木等に取り付けられるもので、建物の出入り口、通路等での足元灯、誘導灯の照明として、通行者等に安全、安心感を与え、また建物のライトアップを図ることとしている（同文献の段落００４１）。
【０００３】
さらに、出願人は、建材と前記照明器具とのコラボレーションのみならず、広く、建材と照明とのコラボレーションを図ることができる建材の開発を進めている（特許文献２）。
【先行技術文献】
【特許文献】
【０００４】
【特許文献１】特開２０１３−１０５６１１号公報
【特許文献２】特願２０１６−２２６２５号
【発明の概要】
【発明が解決しようとする課題】
【０００５】
かかる開発過程において、本願の発明者は、次のような技術的課題を順次、見出した。
前記建材は、前記照明器具の照射光を反射させるために、長尺状のフレームにリフレクタ材を備えているが、そのリフレクタ材によって引き起こされる「グレア（ｇｌａｒｅ）」という現象が生じる。
適正な照明は、人の生活や活動に不可欠なものであるが、「グレア」は、照明器具の輝度が高すぎて、光の過剰である場合に、その光が目に入ることで不快感を生じる現象である。
まず、かかる「グレア」を低減することが照明器具を備えた建材の照明設計にあたり、解決すべき技術的課題となる。
【０００６】
次に、その建材を外装用に用いる場合には、雨水等から照明器具等を保護するために、どのような構造にするかも技術的課題となる。
次に、前記照明器具の照射光が、照明器具等の着脱に用いられるネジなどの止着部材を照射してしまうと、照射光の綺麗な照射及び反射を妨げることとなり、建材と照明とのコラボレーションを満足に図ることができないことも技術的課題となる。
【０００７】
そこで、本願では、主に外装材として使用される照明器具を備えた建材において、「グレア」を低減することができ、また照明器具等を雨水等から保護することができ、さらに
照射光の綺麗な反射を妨げることなく、建材と照明とのコラボレーションを図ることができる照明器具を備えた建材を提供することを目的とする。
【課題を解決するための手段】
【０００８】
上記課題を解決するため、フレームと、前記フレームに取付けられる第１のリフレクタ材と、前記第１のリフレクタ材に反射させる光を照射する照明器具と、前記照明器具をカバーするカバー材と、前記第１のリフレクタ材に連続させ、且つ、前記フレームに取付けられる第２のリフレクタ材と、前記第２のリフレクタ材を介して、前記カバー材を前記フレームに固定する固定部が形成されたマウント材とを備えると共に、前記固定部は、前記照明器具の照射光に影響されない位置にあることを特徴とする照明器具を備えた建材とした（請求項１に記載の発明）。
【０００９】
前記第２のリフレクタ材に対し、第１のリフレクタ材は選択可能であることを特徴とする照明器具を備えた建材とした（請求項２に記載の発明）。
【００１０】
前記カバー材は、前記照明器具の照射面からその照射光の進行方法に沿った被せ高さ（被せ幅）の被部を備えていることを特徴とする照明器具を備えた建材とした（請求項３に記載の発明）。
【００１１】
前記照明器具の外周と、前記カバー材の内周との間に、離隔スペースを形成したことを特徴とする照明器具を備えた建材とした（請求項４に記載の発明）。
【００１２】
前記カバー材の開口部には、その開口部を覆うキャップが取付けられていることを特徴とする照明器具を備えた建材とした（請求項５に記載の発明）。
【００１３】
前記第２のリフレクタ材は、前記フレームに対して着脱自在に配置されていることを特徴とする照明器具を備えた建材とした（請求項６に記載の発明）。
【発明の効果】
【００１４】
前記カバー材を備えた結果、前記照明器具の照射光により輝度が高いグレアが生じたとしても、その箇所からの光は、前記カバー材によって所定の角度のビームが形成されることとなる。そのビームの範囲の外では、グレアを認識することができず、グレアが低減される。また、前記ビームの範囲の外では、不快を感じさせるシャープな輝度の高い光が低減され、柔らかな光を認識することができる。
前記照明器具の外周と前記カバー材の内周との間に離隔スペースが形成されているので、前記カバー材の内周側に入り込む雨水等は、前記離隔スペースを介して排出される。
前記第２のリフレクタ材を介して、前記カバー材を前記フレームに固定する固定部が形成されたマウント材とを備え、前記固定部は、前記照明器具の照射光に影響されない位置にあることとしたので、固定部によって照射光の綺麗な照射及び反射を妨げられることなく、建材と照明とのコラボレーションを図ることができる。
【図面の簡単な説明】
【００１５】
【図１】本発明に係る照明器具を備えた建材の正面図、
【図２】同建材を切欠いて要部を図示した同建材の斜視図、
【図３】同建材の分解斜視図、
【図４】図１のＡ−Ａ線矢視の建材の断面図、
【図５】図１のＢ−Ｂ線矢視の建材の断面図、
【図６】図１のＣ−Ｃ線矢視の建材の断面図、
【図７】図１のＤ−Ｄ線矢視の建材の断面図、
【図８】図１のＥ−Ｅ線矢視の建材の断面図、
【図９】図１のＦ−Ｆ線矢視の建材の断面図、
【図１０】図１のＧ−Ｇ線矢視の建材の断面図、
【図１１】図１のＨ−Ｈ線矢視の建材の断面図、
【図１２】図１のＩ−Ｉ線矢視の建材の断面図、
【図１３】同建材を構成する照明器具の縦断面図、
【図１４】同建材の作用説明図、
【図１５】同建材の作用説明図、
【図１６】同建材の作用説明図、
【図１７】同建材の作用説明図である。
【発明を実施するための形態】
【００１６】
本発明に係る照明器具を備えた建材（以下、単に建材とも称する）は、図１乃至図３に図示したように、例えば方立である長尺状のフレーム１と、このフレーム１に取付けられる第１のリフレクタ材２（以下、リフレクタ材２）と、このリフレクタ材２に反射させる光を照射する照明器具３と、この照明器具３をカバーすると共に前記フレーム１に収容されるカバー材４と、前記リフレクタ材２に連続させ、且つ、前記フレーム１に着脱自在に取付けられる第２のリフレクタ材５（以下、リフレクタ材５）と、このリフレクタ材５を介して、前記カバー材４を前記フレーム１に着脱自在に取付けるための固定部６０が形成される共に前記照明器具３の照射光を反射させるマウント材６とを備える。
前記カバー材４の上下端にはそれぞれキャップ７，７が取り付けられている。
【００１７】
前記カバー材４は、図２のように前記照明器具３の照射面３６からその照射光の進行方法に沿った被せ高さ（被せ幅Ｌ）の被部４６を備えているので、前記照明器具３の照射光により所定の角度のビームが形成されることとなる。
よって、輝度が高いグレアが生じたとしても、そのビームの範囲の外では、グレアを認識することができず、グレアが低減される。また、前記ビームの範囲の外では、不快を感じさせるシャープな輝度の高い光が低減され、柔らかな光を認識することができる。
【００１８】
前記照明器具３は、前記マウント材６とカバー材４によって形成される空間Ｓ１に配置され、且つ、前記照明器具３の外周３００と前記カバー材４の内周４２０との間には、離隔スペースＳ２が形成されているので、前記カバー材４の内周側に入り込む雨水等は、前記離隔スペースＳ２を介して排出される。
【００１９】
前記固定部６０は、前記照明器具３の照射面３６からの照射光の進行方向Ｄに形成されることはなく、照明器具３の照射光に影響されない位置にあるので、固定部６０によって照射光の綺麗な照射及び反射を妨げることなく、建材と照明とのコラボレーションを図ることができる。
【００２０】
前記フレーム１は、図１乃至図１２のように、形材の長尺方向に交差する面の断面形状が「コ」の字のように構成されて、リフレクタ材２、照明器具３、カバー材４、リフレクタ材５及びマウント材６を収容することができる第一の空間１０と、照明器具３の配線等を納めることができる第二の空間１１とからなる。
これらの空間１０，１１の境界には、前記リフレクタ材２及び前記リフレクタ材５を取付るための左右の起立片１２，１３がフレーム１の長尺方向に形成されている。
同様に、前記フレーム１に前記リフレクタ材２や前記リフレクタ材５を係止させるための左係止片１４が、また、前記リフレクタ材５に前記カバー材４を係止させるための右係止片１５が、それぞれ形成されている。
【００２１】
前記リフレクタ材２は、図１乃至図３並びに図１０乃至図１２のように、裏面（空間１１側）にフレーム１の前記左起立片１２及び前記右起立片１３に止着される左右の起立止着片２０，２１が形成され、表面（空間１０側）に湾曲状の反射面２２が形成される長尺状の平板部２３からなる。
前記リフレクタ材２と前記リフレクタ材５は、それぞれ独立して構成されており、前記リフレクタ材５に連続させる前記リフレクタ材２を選択できるようになっている。
前記リフレクタ材２の反射面２２に代えるものとして、平面状の反射面を備えた前記リフレクタ材５を選択してもよく、また波板状の反射面を備えたリフレクター（図示せず）等を選択してよい。
【００２２】
前記照明器具３は、図１３に示すように、本体３０にＬＥＤモジュール３１を搭載したもので、入力線３２の端部に入力側コネクタ３３を、出力線３４の端部に出力側コネクタ３５を備え、これらの入力線３２及び入力側コネクタ３３並びに出力線３４及び出力側コネクタ３５は、前記第二の空間１１に配置されている。
前記ＬＥＤモジュール３１及びその照射面３６は、その照射面３６からの光が前記マウント材６の反射面６３（図３参照）等で反射されるように、前記マウント材６側に傾斜して配置され、且つ、照明器具３の本体３０が、前記マウント材６の反射面６３に固定されている。
なお、前記照明器具３のＬＥＤモジュール３１の発光色は、「青色」、「白色」、「暖色」等のＬＥＤを任意に選択することができる。
【００２３】
前記カバー材４は、図１乃至図９に図示したように、前記マウント材６の左右の取付片６１，６２に当接され、且つ、固定される左右の当接片４０，４１と、これらの当接片４０，４１の間に、照明器具３の本体３０の外周３００を覆う筒部４２がそれぞれ長尺状に形成されている。
前記筒部４２の内周４２０と照明器具３の本体３０の外周３００との間には離隔スペースＳ２が形成されており、かかる離隔スペースＳ２は、照明器具３の本体３０の外周３００に沿って上下方向に形成されているので、雨水等が前記キャップ７の隙間等からカバー材４の内側に浸入しても、その雨水等は離隔スペースＳ２を介して、前記カバー材４の下方の端部或は照明器具３の本体３０の下方の端部に到り排水される。
なお、前記カバー材４の下端（開口部４８）に取付けられる前記キャップ７には、排水用の切欠き（図示せず）が形成されている。
また、前記カバー材４の内側に入り込んだゴミやチリも下方に抜けるようになっている。
更に、前記照明器具３から発生する熱がカバー材４の空間Ｓ１に滞留しないよう、空気を循環させることもできる。
【００２４】
前記筒部４２の内周４２０には、図４等で示したように前記筒部４２の長手方向に沿って、且つ、約９０度毎の３か所にガイド片４３が形成される。
前記離隔スペースＳ２の存在により、前記照明器具３の外周３００が前記カバー材４の内周４２０に接することがないことに加え、前記ガイド片４３のヒレで、前記照明器具３がピンポイントで押さえられることにより、スムーズに前記照明器具３を前記カバー材４に収めることができる。
このガイド片４３は、そのカバー材４の長手方向に沿って長尺状に形成してもよく、また、ピース状に形成してもよい。
なお、前記筒部４２の外周４２１には、前記キャップ７の脚を固定する凹部４４が形成されている。
【００２５】
このように構成された前記カバー材４は、図２に図示したように、その長手方向において前記照明器具３の本体３０の外周３００を囲む基部４５と、前記照明器具３の照射面３６の上方に形成される被部４６に区分されると共に、基部４５の下部及び被部４６の上部には開口部４７，４８が形成される。
【００２６】
前記被部４６による、前記照明器具３の照射面３６の上方の被せ幅（被せ高さとも称する）Ｌは、後述のように前記照明器具３が配置される高さ位置（階高さ）に応じて選択される。
前記開口部４７には、上述のようにその開口部４７を覆う透光性を有するキャップ７を取付けることとし、前記開口部４８も同様とする。
【００２７】
前記キャップ７は、図３のように前記開口部４７，４８を覆うことができる表面部７０と、この表面部７０の端部から略鉛直方向に形成され、且つ、前記凹部４４で固定される脚からなる取付片７１からなる。
【００２８】
前記リフレクタ材５は、前記照明器具３のフレーム１への取り付けやメンテナンスのために、前記カバー材４を固定するもので、図１乃至図９のように、裏面（空間１１側）に前記フレーム１の左起立片１２及び右起立片１３に止着される左右の起立止着片５０，５１が形成される長尺状の平板部５２からなる。
上述のように前記リフレクタ材２と前記リフレクタ材５はそれぞれ独立して構成されており、前記リフレクタ材２に代えて、リフレクターとして前記リフレクタ材５も選択できるようになっている。
【００２９】
前記平板部５２には、切欠き５３が形成されている。これは、照明器具３の取り付けやメンテナンス用のもので、前記切欠き５３を、前記第二の空間１１に臨ませることにより、前記入出力コネクタ３３、３５等の結線及びその解除の便宜を図るものである。
【００３０】
前記マウント材６は、図１乃至図９のように、前記リフレクタ材５の平板部５２に固定される左右の取付片６１，６２と、これらの取付片間に形成され、前記照明器具３の照射光を反射させる湾曲状の反射面６３を備えている。前記カバー材４を前記リフレクタ材５に着脱自在に取付けるための固定部６０は、前記左右の取付片６１，６２の下部に設けられている。
【００３１】
なお、前記フレーム１、前記リフレクタ材２、前記カバー材４、前記リフレクタ材５又は前記マウント材６は、その建材の配置環境に応じて、色違いに構成してもよい。
【００３２】
次に、図４乃至図１２に基づいて、建材の各構成材の関係を説明する。
図４乃至図９には、前記フレーム１に対して、前記照明器具３を取り付けるための構造が図示されている。
図６のように、前記照明器具３はマウント材６に固定され、図７のように、このマウント材６の左右の取付片６１，６２がカバー材４の左右の取付片４０，４１に固定され、図４のように、マウント材６の右取付片６２と一体になったカバー材４の右当接片４１が、フレーム１の右係止片１５に係止されつつ、前記マウント材６の固定部６０が前記リフレクタ材５に止着され、そのリフレクタ材５は、図７のように前記フレーム１に固定される。
また、図５のように、下方の前記キャップ７が前記カバー材４に固定され、図９のように、上方の前記キャップ７が、前記カバー材４に固定されている。
即ち、前記照明器具３、カバー材４及び上下のキャップ７が前記マウント材６により一体的に固定されており、前記マウント材６の下部に設けられた固定部６０がリフレクタ材５の平板部５２に固定されている裏板８に止着されて、前記フレーム１に着脱自在に取付けられている。
【００３３】
よって、前記照明器具３の交換等のためには、前記マウント材６を前記リフレクタ材５から取り外せばよい。
なお、照明器具３のメンテナンスのために、前記マウント材６を前記リフレクタ材５から取り外しても、前記照明器具３の配線をスムースに接続及び解除できない場合があることを考慮して、前記フレーム１の空間１１を露出させるため、前記リフレクタ材５は、図７のように、左右の起立止着片５０，５１が、フレーム１の左右の起立片１２，１３に固定されている裏板８に止着されて、前記フレーム１に着脱自在に取付けられている。
【００３４】
図１０乃至図１２には、前記フレーム１に対する前記リフレクタ材２を取り付けるための構造が図示されている。
図１０のように、前記リフレクタ材２の左起立止着片２０が、フレーム１の左係止片１４に係止されつつ、左右の起立止着片２０，２１が、前記フレーム１の左右の起立片１２，１３に固定されている。
なお、図１及び図１２のように前記リフレクタ材２の左右の起立止着片２０，２１の上部側には、裏板８が固定されており、フレーム１の左右の起立片１２，１３がリフレクタ材２の左右の起立止着片２０，２１を介して裏板８に止着している。
【００３５】
以上のような建材の各構成材の固定構造によって、前記固定部６０のみが正面に表れ、その固定部６０は照明器具の照射面３６よりも下方であり、前記照明器具の照射光に影響されない位置にあることから、その固定部６０により前記照明器具の照射光が乱されることはない。
【００３６】
以上のように構成された建材の組立手順は、次の通りである。
（イ）  前記フレーム１にリフレクタ材２及びリフレクタ材５を固定する。
（ロ）  前記照明器具３、カバー材４及びマウント材６を一体化してブラケットライトとする。
（ハ）  前記照明器具３とフレーム１の第二の空間１１に納められた配線との接続を行うと共に、前記ブラケットライトを前記リフレクタ材５を介して、前記フレーム１に固定する。
これらの組立は、原則として工場出荷時に完了している場合が多く、現場で組立てる場合には、上記（ハ）を行うこととなる。
【００３７】
以上のように構成される建材の作用効果を纏めれば、次に通りである。
グレアの低減
前記照明器具３の照射光により、前記リフレクタ材２に輝度が高いグレアが生じた場合、その箇所等からの光により、前記カバー材４の開口部４７から、前記リフレクタ材２（或は前記フレーム１、以下同様）の長手方向に対し所定の角度でビームｂが形成される。よって、そのビームの範囲の外では、グレアを認識することができずグレアが低減されると共に、柔らかな光を認識することができる。
【００３８】
このような建材の作用効果を図１４〜図１７の図示に従って、説明すれば次の通りである
図１４及び図１５は、それぞれ前記照明器具３の配置高さＨ１が４メートルで、且つ、下方に照射される場合（以下、ダウンとも称する）で、図１４は前記カバー材４の被部４６の被せ幅Ｌを約２０ｍｍに設定した場合、図１５は同被部４６の被せ幅Ｌを約１００ｍｍに設定した場合を図示したものである。
図１６及び図１７は、それぞれ前記照明器具３の配置高さＨ２が０．５メートルで、且つ、上方に照射される場合（以下、アッパーとも称する）で、図１６は前記カバー材４の被部４６の被せ幅Ｌを約２０ｍｍに設定した場合、図１７は同被部４６の被せ幅Ｌを約１００ｍｍに設定した場合を図示したものである。
即ち、図１４及び図１６に図示するように、前記カバー材４の被部４６による被せ高さＬが約２０ｍｍの場合には、前記カバー材４の開口部４７からは、前記リフレクタ材２の長手方向に対して約４５度のビームｂが形成され、グレアを低減することができる角度として、約４５度のグレアカット角度がえられる。
【００３９】
一方、図１５及び図１７に図示するように、前記被せ高さＬが、約１００ｍｍの場合には、前記カバー材４の開口部４７からは、前記リフレクタ材２の長手方向に対して約１０度のビームｂが形成され、グレアを低減することができる角度として、約８０度のグレアカット角度がえられる。
【００４０】
図１４及び図１６の約４５度のグレアカット角度の場合には、前記フレーム１から約０．５メートル離れる歩行者Ｐに対しグレアが意識されることとなる。
しかし、図１５及び図１７の約８０度のグレアカット角度の場合には、それぞれ前記歩行者Ｐに共にグレアが意識されることはない。また，ビームｂの範囲Ｒの外では、輝度が高いシャープな光ではなく、柔らかな光を認識することができる。
【００４１】
グレアによる不快感は、前記照明器具３が配置される高さに比例するように薄まることも予測できることから、前記照明器具３が配置される高さ位置（階高さ）に応じて、前記カバー材４の被部４６の被せ高さＬを選択するようにしてもよい。
その際、人が近づく範囲に配置される場合（例えば、１階等のダウンとアッパー）は、被せ高さＬを大きくし、そうでない場合（例えば、２階以上のアッパー）は、被せ高さＬを小さくしてもよい。なお、図１４〜図１７のようにアッパーのみ、またはダウンのみを配置するだけでなく、アッパーとダウンの両方を配置してもよい。
【００４２】
離隔スペースの作用
前記離隔スペースＳ２は、照明器具３の本体３０の外周３００に沿って上下方向に形成されるので、前記カバー材４の内側に浸入する雨水等は、離隔スペースＳ２を介して、落下し、前記カバー材４の下端から排水される。よって、カバー材４の空間Ｓ１（特に被部４６の内側）に水が溜まらず、照明器具３が浸漬することを防止できる。また、前記カバー材４の内側に入り込んだゴミやチリも下方に抜けるようになっている。その際、クリアランスＣを設けることで、雨水等の排出効率が高まる。
更に、照明器具から発生する熱がカバー材４の空間Ｓ１に滞留（特にキャップ７を取り付けた場合）しないよう、空気を循環させることもできる。
【００４３】
組み込みの容易性
前記離隔スペースＳ２の存在により、前記照明器具３の外周３００が前記カバー材４の内周４２０に接することがないことに加え、前記ガイド片４３のヒレで、前記照明器具３がピンポイントで押さえられることにより、スムーズに前記照明器具３を前記カバー材４に収めることができる。
【００４４】
メンテナンスの容易性及び照射光の向上
一体化されたマウント材６と照明器具３及びカバー材４の前記フレーム５からの取り外し作業は、正面に表れる前記固定部６０の着脱により行われ、メンテナンスの容易性を図ることができる。
その固定部６０は、前記照明器具３の照射光に影響されない位置にあることから、その固定部６０により前記照明器具３の照射光が乱されることはない。
前記照明器具３の結線の解消等は、前記リフレクタ材５に切欠き５３を設けることにより、容易に行うことができる。なお、前記照明器具３の結線をスムースに接続及び解除できない場合には前記リフレクタ材５を前記フレーム１から取外して、前記フレーム１の空間１１を露出させることもできる。
【００４５】
本発明は、以上説明した実施形態に限定されるものではなく、多くの変形が本発明の技術的思想内で当分野において、通常の知識を有する者により可能である。
【符号の説明】
【００４６】
１  フレーム                            １０  第一の空間
１１  第二の空間
１２  左起立片                          １３  右起立片
１４  左係止片                          １５  右係止片
２  第１のリフレクタ材                  ２０，２１  左右の起立止着片
２２  反射面                            ２３  平板部
２４  切欠嵌合片                        ２５  固定片
２６  第２の切欠
２１０  先端部
３  照明器具                            ３０  本体
３１  ＬＥＤモジュール                  ３２  入力線
３３  入力側コネクタ                    ３４  出力線
３５  出力側コネクタ                    ３６  照射面
３００  外周
４  カバー材
４０  左当接片                          ４１  右当接片
４２  筒部
４３  ガイド片                          ４４  凹部
４５  基部                              ４６  被部
４７  ４８  開口部
４２０  内周                            ４２１  外周
５  第２のリフレクタ材
５０，５１  左右の起立止着片            ５２  平板部
５３  切欠き
６  マウント材
６０  固定部                            ６１，６２  左右の取付片
６３  反射面
７  キャップ                      ７０  表面部
７１  取付片
８  裏板
Ｄ  照射光の進行方向
Ｓ１  空間
Ｓ２  離隔スペース
【図１】
2018125100.tif 000003
【図２】
2018125100.tif 000004
【図３】
2018125100.tif 000005
【図４】
2018125100.tif 000006
【図５】
2018125100.tif 000007
【図６】
2018125100.tif 000008
【図７】
2018125100.tif 000009
【図８】
2018125100.tif 000010
【図９】
2018125100.tif 000011
【図１０】
2018125100.tif 000012
【図１１】
2018125100.tif 000013
【図１２】
2018125100.tif 000014
【図１３】
2018125100.tif 000015
【図１４】
2018125100.tif 000016
【図１５】
2018125100.tif 000017
【図１６】
2018125100.tif 000018
【図１７】
2018125100.tif 000019